(57)【要約】【課題】第１種の端末装置と第２種の端末装置を選択的に端末収容部に収容して充電することを可能とする技術を提供する。【解決手段】第１種の端末装置を、表示部の少なくとも一部を外部から視認可能な態様で保持して収容可能であるとともに、第２種の端末装置を、その表示部の少なくとも一部を外部から視認可能な態様で保持して収容可能であって、使用時に第１種の端末装置と第２種の端末装置とのうちの一方を選択的に収容可能な端末収容部と、バッテリを収容するためのバッテリ収容部と、端末収容部に第１種の端末装置が収容され、かつ、バッテリ収容部にバッテリが収容されている第１種の場合に、バッテリの電力を用いて第１種の端末装置を充電し、端末収容部に第２種の端末装置が収容され、かつ、バッテリ収容部にバッテリが収容されている第２種の場合に、バッテリの電力を用いて第２種の端末装置を充電する、充電制御部と、を備える。【選択図】図１
2020156187.tif 000002
【特許請求の範囲】
【請求項１】
据え置き型の充電台であって、
第１種の端末装置を、その第１種の表示部の少なくとも一部を外部から視認可能な態様で保持して収容可能であるとともに、前記第１種の端末装置とは機種と機能の少なくとも一方が異なる第２種の端末装置を、その第２種の表示部の少なくとも一部を外部から視認可能な態様で保持して収容可能であって、使用時に前記第１種の端末装置と前記第２種の端末装置とのうちの一方を選択的に収容可能な端末収容部と、
バッテリを収容するためのバッテリ収容部と、
前記端末収容部に前記第１種の端末装置が収容され、かつ、前記バッテリ収容部に前記バッテリが収容されている第１種の場合に、前記バッテリの電力を用いて前記第１種の端末装置を充電し、前記端末収容部に前記第２種の端末装置が収容され、かつ、前記バッテリ収容部に前記バッテリが収容されている第２種の場合に、前記バッテリの電力を用いて前記第２種の端末装置を充電する、充電制御部と、
を備える、充電台。
【請求項２】
前記第２種の端末装置のコネクタ接続部に接続可能なＵＳＢ規格に従ったコネクタと、
前記コネクタと前記充電制御部とを電気的に接続するためのケーブルと、をさらに備え、
前記コネクタは、前記端末収容部内に露出して設けられており、
前記端末収容部は、前記ケーブルを収容するためのケーブル収容部を有している、請求項１に記載の充電台。
【請求項３】
前記端末収容部は、収容される前記第２種の端末装置を保持位置に保持するための保持部をさらに備えている、請求項１又は２に記載の充電台。
【請求項４】
前記バッテリは一次電池である、請求項１から３のいずれか一項に記載の充電台。
【請求項５】
前記バッテリは、前記第１種の端末装置に使用可能な二次電池である、請求項１から３のいずれか一項に記載の充電台。
【請求項６】
ＡＣ電源に接続可能であって前記ＡＣ電源から電力を供給可能な電力供給部をさらに備えており、
前記充電制御部は、
（ａ）前記端末収容部に前記第１種の端末装置が収容され、前記バッテリ収容部に前記バッテリが収容されており、かつ、前記電力供給部が前記ＡＣ電源に接続されていない前記第１種の場合に、前記バッテリの電力を用いて前記第１種の端末装置を充電し、
（ｂ）前記端末収容部に前記第１種の端末装置が収容され、かつ、前記電力供給部が前記ＡＣ電源に接続されている場合には、前記バッテリ収容部に前記バッテリが収容されているか否かに関わらず、前記ＡＣ電源から供給される電力を用いて前記第１種の端末装置を充電し、
（ｃ）前記端末収容部に前記第２種の端末装置が収容され、前記バッテリ収容部に前記バッテリが収容されており、かつ、前記電力供給部が前記ＡＣ電源に接続されていない前記第２種の場合に、前記バッテリの電力を用いて前記第２種の端末装置を充電し、
（ｄ）前記端末収容部に前記第２種の端末装置が収容され、かつ、前記電力供給部が前記ＡＣ電源に接続されている場合には、前記バッテリ収容部に前記バッテリが収容されているか否かに関わらず、前記ＡＣ電源から供給される電力を用いて前記第２種の端末装置を充電する、請求項１から５のいずれか一項に記載の充電台。
【請求項７】
充電中状態と充電停止状態とを含む複数の状態を表示可能な状態表示部であって、ＬＥＤ照明を内蔵する前記状態表示部をさらに有する、請求項１から６のいずれか一項に記載の充電台。
【請求項８】
前記状態表示部は、さらに、前記第１種の場合及び前記第２種の場合における前記バッテリの電力残量レベルを表示可能である、請求項７に記載の充電台。
【発明の詳細な説明】
【技術分野】
【０００１】
本明細書で開示する技術は、据え置き型の充電台に関する。
【背景技術】
【０００２】
特許文献１には、据え置き型の充電台であって、端末装置を、表示部の少なくとも一部を視認可能な立てた状態で収容する端末収容部と、バッテリと、バッテリに蓄電された電力を端末収容部に収容された端末装置に供給する充電制御部と、を有する充電台が開示されている。そして、特許文献１の充電台は、電源コードを接続し、電源コードを介してバッテリから端末装置への電力供給を行うこともできる。
【先行技術文献】
【特許文献】
【０００３】
【特許文献１】特開２０１８−１１４６３号公報
【発明の概要】
【発明が解決しようとする課題】
【０００４】
特許文献１に開示された充電台によれば、端末収容部に収容して第１種の端末装置を充電することと、電源コードを接続して第１種の端末装置とは異なる第２種の端末装置を充電することと、の両方を選択的に実行可能である。しかしながら、特許文献１の技術では、第１種の端末装置と第２種の端末装置を選択的に端末収容部に収容して充電することは考慮されていない。
【０００５】
本明細書では、第１種の端末装置と第２種の端末装置を選択的に端末収容部に収容して充電することを可能とする技術を提供する。
【課題を解決するための手段】
【０００６】
本明細書では、据え置き型の充電台を開示する。前記充電台は、第１種の端末装置を、その第１種の表示部の少なくとも一部を外部から視認可能な態様で保持して収容可能であるとともに、前記第１種の端末装置とは機種と機能の少なくとも一方が異なる第２種の端末装置を、その第２種の表示部の少なくとも一部を外部から視認可能な態様で保持して収容可能であって、使用時に前記第１種の端末装置と前記第２種の端末装置とのうちの一方を選択的に収容可能な端末収容部と、バッテリを収容するためのバッテリ収容部と、前記端末収容部に前記第１種の端末装置が収容され、かつ、前記バッテリ収容部に前記バッテリが収容されている第１種の場合に、前記バッテリの電力を用いて前記第１種の端末装置を充電し、前記端末収容部に前記第２種の端末装置が収容され、かつ、前記バッテリ収容部に前記バッテリが収容されている第２種の場合に、前記バッテリの電力を用いて前記第２種の端末装置を充電する、充電制御部と、を備える。
【０００７】
上記の構成によると、第１種の端末装置と、第１種の端末装置とは機種と機能の少なくとも一方が異なる第２種の端末装置のどちらも、表示部の少なくとも一部を視認可能な態様で端末収容部に収容した状態で充電を行うことができる。
【０００８】
前記第２種の端末装置のコネクタ接続部に接続可能なＵＳＢ規格に従ったコネクタと、前記コネクタと前記充電制御部とを電気的に接続するためのケーブルと、をさらに備えてもよい。前記コネクタは、前記端末収容部内に露出して設けられていてもよい。前記端末収容部は、前記ケーブルを収容するためのケーブル収容部を有していてもよい。
【０００９】
この構成によると、第２種の端末装置の充電に用いるケーブルが、端末収容部に収容される第２種の端末装置の妨げにならない位置に収容され得る。
【００１０】
前記端末収容部は、収容される前記第２種の端末装置を保持位置に保持するための保持部をさらに備えていてもよい。
【００１１】
この構成によると、端末収容部に第２種の端末装置が収容される際に、第２種の端末装置ががたつくことなく保持位置に保持される。そのため、例えば、第２種の端末装置の外形が、第１種の端末装置の外形より小さい場合であっても、第２種の端末装置を端末収容部に収容する際、第２種の端末装置を適切に保持位置に保持することができる。
【００１２】
前記バッテリは一次電池であってもよい。
【００１３】
この構成によると、利用者は、ＡＣ電源が無い環境下でも、一次電池（例えば乾電池）を準備することができれば、第１種の端末装置及び第２種の端末装置の充電を行うことができる。
【００１４】
前記バッテリは、前記第１種の端末装置に使用可能な二次電池であってもよい。
【００１５】
この構成によると、利用者は、ＡＣ電源が無い環境でも、第１種の端末装置のための充電済みの二次電池（例えば充電済みの予備バッテリ）を準備することができれば、第１種の端末装置及び第２種の端末装置の充電を行うことができる。
【００１６】
前記充電台は、ＡＣ電源に接続可能であって前記ＡＣ電源から電力を供給可能な電力供給部をさらに備えてもよい。前記充電制御部は、（ａ）前記端末収容部に前記第１種の端末装置が収容され、前記バッテリ収容部に前記バッテリが収容されており、かつ、前記電力供給部が前記ＡＣ電源に接続されていない前記第１種の場合に、前記バッテリの電力を用いて前記第１種の端末装置を充電し、（ｂ）前記端末収容部に前記第１種の端末装置が収容され、かつ、前記電力供給部が前記ＡＣ電源に接続されている場合には、前記バッテリ収容部に前記バッテリが収容されているか否かに関わらず、前記ＡＣ電源から供給される電力を用いて前記第１種の端末装置を充電し、（ｃ）前記端末収容部に前記第２種の端末装置が収容され、前記バッテリ収容部に前記バッテリが収容されており、かつ、前記電力供給部が前記ＡＣ電源に接続されていない前記第２種の場合に、前記バッテリの電力を用いて前記第２種の端末装置を充電し、（ｄ）前記端末収容部に前記第２種の端末装置が収容され、かつ、前記電力供給部が前記ＡＣ電源に接続されている場合には、前記バッテリ収容部に前記バッテリが収容されているか否かに関わらず、前記ＡＣ電源から供給される電力を用いて前記第２種の端末装置を充電するようにしてもよい。
【００１７】
この構成によると、充電制御部は、電力供給部がＡＣ電源に接続されている場合には、ＡＣ電源から優先的に充電用の電力を供給することができる（上記の（ｂ）（ｄ）参照）。一般的に、ＡＣ電源からの電力供給は、バッテリからの電力供給に比べ、電力供給量が安定する傾向がある。この構成によると、ＡＣ電力が利用可能な環境下では、安定した充電を行わせることができる。
【００１８】
前記充電台は、充電中状態と充電停止状態とを含む複数の状態を表示可能な状態表示部であって、ＬＥＤ照明を内蔵する前記状態表示部をさらに有していてもよい。
【００１９】
この構成によると、利用者は、状態表示部を見ることで、現在の充電動作の状態を確認することができる。
【００２０】
前記状態表示部は、さらに、前記第１種の場合及び前記第２種の場合における前記バッテリの電力残量レベルを表示可能であってもよい。
【００２１】
この構成によると、利用者は、状態表示部を見ることで、バッテリを電力供給源として充電を行う際のバッテリの電力残量レベルを把握することができる。
【図面の簡単な説明】
【００２２】
【図１】充電台を示す側面説明図。
【図２】充電台の立設部を示す平面説明図。
【図３】充電台の充電系を説明するブロック図。
【発明を実施するための形態】
【００２３】
（第１実施例）
図１に示す本実施例の充電台１０は、据え置き型の充電装置である。この充電台１０は、いわゆるバーコードハンディターミナル端末（以下では「ＢＨＴ」）２と、スマートフォン６と、を選択的に保持し、保持された側の端末（ＢＨＴ２又はスマートフォン６）に搭載される二次電池（図示省略）を充電することができる。
【００２４】
本実施例の充電台１０による充電の対象の一つであるＢＨＴ２は、可搬型の端末装置である。ＢＨＴ２は、一次元コード（バーコード等）、二次元コード等の情報コードを読み取り可能な情報コード読取装置として機能する。他の例では、ＢＨＴ２は、さらにＲＦ（Radio Frequency）タグリーダライタとして機能してもよい。図１に示すように、ＢＨＴ２は、端子接続部３と、表示部４と、操作部５とを備えている。
【００２５】
端子接続部３は、筐体の底面に設けられている。端子接続部３は、充電台１０の充電端子２２に接続可能である。本実施例では、端子接続部３は、ＵＳＢ規格とは異なる規格の端子を接続可能な接続部である。端子接続部３に充電端子２２が接続されると、ＢＨＴ２に搭載されている二次電池（図示省略）が充電される。表示部４は、情報を表示するためのディスプレイであり、筐体の前面に設けられている。操作部５は、筐体の前面及び側面に設けられた複数個のボタンを備える。ＢＨＴ２の利用者は、操作部５を操作することによって、様々な指示をＢＨＴ２に入力することができる。
【００２６】
本実施例の充電台１０による充電の対象の他の一つであるスマートフォン６は、可搬型の端末装置である。図１に示すように、スマートフォン６は、コネクタ接続部７と、タッチパネル８とを備える。コネクタ接続部７は、充電台１０のコネクタ２４に接続可能である。コネクタ接続部７は、スマートフォン６の筐体の底面に設けられている。本実施例のコネクタ接続部７は、ＵＳＢ規格に従った接続部であり、同じくＵＳＢ規格のコネクタ２４を接続可能である。コネクタ接続部７にコネクタ２４が接続されると、スマートフォン６に搭載されている二次電池（図示省略）が充電される。タッチパネル８は、スマートフォン６の筐体の前面に設けられている。タッチパネル８は、情報を表示するためのディスプレイ（表示部）として機能するとともに、スマートフォン６に様々な指示を入力するための操作部としても機能する。
【００２７】
図１に示すように、本実施例の充電台１０は、筐体１１と、端末収容部２０と、充電端子２２と、コネクタ２４と、ケーブル２６と、バッテリ収容部４０と、充電制御部５０と、状態表示部６０と、電源コード１２０と、を備えている。なお、図１及び図３では、充電台１０が一次電池収容部７０を備える様子が図示されているが、本実施例では充電台１０は一次電池収容部７０を備えていない。一次電池収容部７０については第２実施例で詳しく言及する。
【００２８】
筐体１１は、充電台１０の本体を構成するケーシングである。筐体１１には、上記の充電端子２２、コネクタ２４、ケーブル２６、バッテリ収容部４０、充電制御部５０、状態表示部６０、及び、電源コード１２０が備え付けられる。筐体１１は、基部１２と、立設部１３と、を備える。
【００２９】
基部１２は、充電台１０の台座となる部分である。基部１２は、筐体１１の下半分の部分と言い換えてもよい。基部１２は、中空に形成されている。基部１２の外側には、バッテリ収容部４０、状態表示部６０及び、電源コード１２０が設けられている。基部１２の内側には、充電制御部５０及び一次電池収容部７０が収容されている。
【００３０】
立設部１３は、ＢＨＴ２及びスマートフォン６を選択的に収容及び保持するための保持フレームを構成する部分である。図１に示すように、立設部１３は、基部１２の前側（図１の左側）の上方に基部１２と連続して成形されている。図２に示すように、立設部１３は、左右それぞれに設けられた壁部１３ａ、１３ｂと、底面である底部１３ｃと、を有する。充電台１０を平面視した場合において、左右の壁部１３ａ、１３ｂは、互いに対向するコ字状に形成されている。壁部１３ａの両端部と、壁部１３ｂの両端部と、の間には、開口部１４、１６が形成される。
【００３１】
そして、壁部１３ａ、１３ｂと、底部１３ｃと、によって囲まれた空間によって、上記の端末収容部２０（図１、図２参照）が形成される。図２に示すように、端末収容部２０には、ＢＨＴ２と、スマートフォン６と、を一つずつ収容可能である。ＢＨＴ２を端末収容部２０に収容する場合、端末収容部２０には他の端末（スマートフォン６等）を収容させることはできない。一方、スマートフォン６を端末収容部２０に収容する場合、端末収容部２０には他の端末（ＢＨＴ２等）を収容させることはできない。
【００３２】
また、図２に示すように、左右の壁部１３ａ、１３ｂには、端末収容部２０に収容されるスマートフォン６を図２に示す充電可能位置に保持するための保持アーム２８が設けられている。保持アーム２８は、それぞれ、端末収容部２０の内側に付勢されており、端末収容部２０に収容されたスマートフォン６を両側から挟んで保持できるようにしてある。
【００３３】
また、底部１３ｃには、端末収容部２０に収容されたＢＨＴ２の端子接続部３（図１参照）に接続可能な充電端子２２が設けられている。端末収容部２０に収容され、所定の充電可能位置に保持された充電端子２２は、ＵＳＢとは異なる規格の端子である。図３に示すように、充電端子２２は、充電制御部５０と電気的に接続されている。
【００３４】
図２に示すように、底部１３ｃには、さらに、スマートフォン６のコネクタ接続部７に接続可能なコネクタ２４が設けられている。コネクタ２４は、ＵＳＢ規格に従ったコネクタである。そして、底部１３ｃには、コネクタ２４に接続されているケーブル２６を収容するためのケーブル収容部３０が設けられている。ケーブル収容部３０は、底部１３ｃに形成された溝である。ケーブル２６は、ケーブル収容部３０に巻き回されて収容される。これにより、ケーブル２６は、端末収容部２０内のスマートフォン６の妨げになることが抑制される。また、図３に示すように、コネクタ２４及びケーブル２６は、充電制御部５０と電気的に接続されている。
【００３５】
図１、図２に示すように、ＢＨＴ２を端末収容部２０に収容する場合、利用者は、ＢＨＴ２の底部（即ち、端子接続部３が形成されている部分）を下側に向けた状態で、ＢＨＴ２を、上方から端末収容部２０に差し入れる。ＢＨＴ２を端末収容部２０に収容すると、ＢＨＴ２は、壁部１３ａ、１３ｂと、底部１３ｃと、によって保持され、位置決めされる。その際、ＢＨＴ２の表示部４は、壁部１３ａ、１３ｂの上端部より上方に配置されるとともに、前方を向いた状態で配置される。即ち、利用者は、ＢＨＴ２を端末収容部２０に収容及び保持した状態で、表示部４の表示内容を視認することができる。また、ＢＨＴ２を端末収容部２０に収容する際、ＢＨＴ２の底部を立設部１３の底部１３ｃに到達するまでＢＨＴ２を差し込むと、ＢＨＴ２の底部に設けられた端子接続部３と、底部１３ｃに形成された充電端子２２とが電気的に接続される。これにより、充電端子２２を介してＢＨＴ２に搭載された二次電池（図示しない）の充電を行なえるようになる。
【００３６】
一方、スマートフォン６を端末収容部２０に収容する場合、利用者は、スマートフォン６の底部（即ち、コネクタ接続部７が形成されている部分）を下側に向けた状態で、スマートフォン６を、上方から端末収容部２０に差し入れる。スマートフォン６を端末収容部２０に収容すると、スマートフォン６は、壁部１３ａ、１３ｂに設けられた保持アーム２８によって保持され、所定の充電可能位置に位置決めされる（図２参照）、その際、スマートフォン６のタッチパネル（即ち表示部）８は、前方を向いた状態で配置される。この際、利用者は、スマートフォン６を端末収容部２０に収容及び保持した状態で、タッチパネル８の表示内容の少なくとも一部を、開口部１４を通じて視認することができる。また、スマートフォン６を端末収容部２０に収容する際、ＢＨＴ２の底部を立設部１３の底部１３ｃに到達するまでスマートフォン６を差し込むと、スマートフォン６の底部に設けられたコネクタ接続部７と、底部１３ｃに形成されたコネクタ２４とが電気的に接続される。これにより、コネクタ２４を介してスマートフォン６に搭載された二次電池（図示しない）の充電を行なえるようになる。また、他の例では、利用者は、スマートフォン６を端末収容部２０に差し入れる前に、ケーブル２６を伸ばしてコネクタ２４をコネクタ接続部７に接続させるようにしてもよい。そして、スマートフォン６を端末収容部２０に差し入れる際に、ケーブル２６をケーブル収容部３０に巻き回して収容するようにしてもよい。
【００３７】
図１に示すように、バッテリ収容部４０は、ＢＨＴ２に使用可能な予備バッテリ１００を収容することができる収容部である。バッテリ収容部４０は、基部１２の上面に露出するように設けられている。バッテリ収容部４０に収容される予備バッテリ１００は、二次電池である。図３に示すように、バッテリ収容部４０は、充電制御部５０と電気的に接続されている。本実施例では、バッテリ収容部４０に、充電済みの予備バッテリ１００を収容することにより、予備バッテリ１００を、ＢＨＴ２又はスマートフォン６の充電のための電力供給源として利用することができる。
【００３８】
図１に示すように、電源コード１２０は、ＡＣ電源（たとえば商用電源）に接続可能であって、ＡＣ電源から電力を供給可能な電力供給経路である。図３に示すように、電源コード１２０も、充電制御部５０と電気的に接続されている。本実施例では、電源コード１２０をＡＣ電源に接続することにより、ＡＣ電源を、ＢＨＴ２又はスマートフォン６の充電のための電力供給源として利用することができる。
【００３９】
図１に示すように、状態表示部６０は、基部１２の前面に露出するように設けられている。状態表示部６０は、緑、赤、青等の複数色に点灯可能なＬＥＤ照明を内蔵している。図３に示すように、状態表示部６０は、充電制御部５０に電気的に接続されており、充電制御部５０によって、内蔵のＬＥＤ照明の点灯及び消灯、点灯時の発光色（緑、赤、青等）が制御される。状態表示部６０は、内蔵のＬＥＤ照明が点灯することにより、充電台１０の複数の状態（充電中状態、充電停止状態、充電中状態における予備バッテリ１００の残量等）を表示することができる。
【００４０】
図１に示すように、充電制御部５０は、基部１２内に収容されている。充電制御部５０は、電力供給源から充電対象の端末への電力供給（即ち充電）を制御するための制御部である。ここで言う「電力供給源」は、電源コード１２０に接続されたＡＣ電源、又は、バッテリ収容部４０に収容された予備バッテリ１００である。また「充電対象の端末」は、端末収容部２０に収容されて充電端子２２に接続されたＢＨＴ２、又は、端末収容部２０に収容されてコネクタ２４に接続されたスマートフォン６である。すなわち、図３に示すように、充電制御部５０は、電源コード１２０、バッテリ収容部４０、充電端子２２、コネクタ２４及びケーブル２６、状態表示部６０、と電気的に接続されている。図１、図３では詳しい図示を省略しているが、充電制御部５０は、スイッチング回路、制御回路、ＣＰＵ等の組合せによって構成されている。
【００４１】
充電制御部５０は、充電端子２２とコネクタ２４のどちらに充電対象の端末が接続されているのか、電源コード１２０がＡＣ電源に接続されているか否か、バッテリ収容部４０に予備バッテリ１００が接続されているか否か、を検出することができる。そして、充電制御部５０は、充電端子２２とコネクタ２４のどちらに充電対象の端末が接続されているのか、電源コード１２０がＡＣ電源に接続されているか否か、バッテリ収容部４０に予備バッテリ１００が接続されているか否か、に応じて、電力供給源から充電対象の端末への電力供給（即ち充電）の経路を以下の通り切り替えることができる。
【００４２】
（ケースＡ）
端末収容部２０にＢＨＴ２が収容され、ＢＨＴ２の端子接続部３に充電端子２２が接続されており、バッテリ収容部４０に予備バッテリ１００が収容されており、かつ、電源コード１２０がＡＣ電源に接続されていない場合には、充電制御部５０は、予備バッテリ１００の電力をＢＨＴ２に供給する充電経路を形成する。このケースＡの場合、予備バッテリ１００が電力供給源であり、ＢＨＴ２が充電対象の端末である。
【００４３】
（ケースＢ）
端末収容部２０にＢＨＴ２が収容され、ＢＨＴ２の端子接続部３に充電端子２２が接続されており、かつ、電源コード１２０がＡＣ電源に接続されている場合には、バッテリ収容部４０に予備バッテリ１００が収容されているか否かに関わらず、充電制御部５０は、ＡＣ電源の電力をＢＨＴ２に供給する充電経路を形成する。このケースＢの場合、ＡＣ電源が電力供給源であり、ＢＨＴ２が充電対象の端末である。
【００４４】
（ケースＣ）
端末収容部２０にスマートフォン６が収容され、スマートフォン６のコネクタ接続部７にコネクタ２４が接続されており、バッテリ収容部４０に予備バッテリ１００が収容されており、かつ、電源コード１２０がＡＣ電源に接続されていない場合には、充電制御部５０は、予備バッテリ１００の電力をスマートフォン６に供給する充電経路を形成する。このケースＣの場合、予備バッテリ１００が電力供給源であり、スマートフォン６が充電対象の端末である。
【００４５】
（ケースＤ）
端末収容部２０にスマートフォン６が収容され、スマートフォン６のコネクタ接続部７にコネクタ２４が接続されており、かつ、電源コード１２０がＡＣ電源に接続されている場合には、バッテリ収容部４０に予備バッテリ１００が収容されているか否かに関わらず、充電制御部５０は、ＡＣ電源の電力をスマートフォン６に供給する充電経路を形成する。このケースＤの場合、ＡＣ電源が電力供給源であり、スマートフォン６が充電対象の端末である。
【００４６】
また、上記の通り、充電制御部５０は、充電台１０の状態に応じて、状態表示部６０に内蔵されたＬＥＤ照明の点灯消灯、及び、点灯時の発光色を制御する。充電台１０において、電力供給源から充電対象の端末への電力供給（即ち充電）が行われている場合（「充電中」の場合）には、充電制御部５０は、ＬＥＤ照明を点灯させる。一方、充電台１０において、電力供給源から充電対象の端末への電力供給（即ち充電）が行われていない場合（「充電停止」の場合）には、充電制御部５０は、ＬＥＤ照明を消灯させる。「充電停止」は、充電対象の端末が満充電されたことにより充電が停止される場合と、電力供給源の電力残量が無くなったことにより充電が停止される場合と、のどちらも含む。
【００４７】
また、上記の「充電中」の場合において、電力供給源の予備バッテリ１００の電力残量が多い場合、又は、電力供給源がＡＣ電源である場合には、充電制御部５０は、ＬＥＤ照明を緑色に発光させる。一方、上記の「充電中」の場合において、電力供給源の予備バッテリ１００の電力残量が少なくなった場合、充電制御部５０は、ＬＥＤ照明を赤色に発光させる。
【００４８】
上記した充電制御部５０による状態表示部６０のＬＥＤ照明の制御内容はあくまで一例である。他の例では、充電制御部５０は、上記と異なる態様の状態表示部６０のＬＥＤ照明の制御を行なってもよい。
【００４９】
以上、本実施例の充電台１０の構成及び動作について説明した。本実施例の充電台１０では、端末収容部２０は、ＢＨＴ２とスマートフォン６のうちの一方を選択的に収容可能である。また、ＢＨＴ２を収容した際とスマートフォン６を収容した際のどちらの場合も、利用者が表示部（表示部４、タッチパネル８）の少なくとも一部を視認可能な態様で収容することができる。従って、本実施例の充電台１０によると、利用者は、ＢＨＴ２と、ＢＨＴ２とは機種、機能等が異なるスマートフォン６のどちらも、表示部の少なくとも一部を視認可能な態様で端末収容部２０に収容した状態で充電を行うことができる。
【００５０】
本実施例では、充電台１０は、スマートフォン６のコネクタ接続部７に接続可能なＵＳＢ規格に従ったコネクタ２４と、コネクタ２４と充電制御部５０とを電気的に接続するためのケーブル２６と、を備える。コネクタ２４は、端末収容部２０内に露出して設けられており、かつ、ケーブル２６は、端末収容部２０に設けられたケーブル収容部３０に収容される。そのため、本実施例では、スマートフォン６の充電に用いるケーブル２６が、端末収容部２０に収容されるスマートフォン６の妨げにならない位置に収容される。
【００５１】
また、本実施例では、左右の壁部１３ａ、１３ｂに、端末収容部２０に収容されるスマートフォン６を充電可能位置に保持するための保持アーム２８が設けられている（図２参照）。そのため、端末収容部２０にスマートフォン６が収容される際に、スマートフォン６ががたつくことなく充電可能位置に保持される。そのため、例えば、スマートフォン６の外形が、ＢＨＴ２の外形より小さい場合であっても、スマートフォン６を端末収容部２０に収容する際、スマートフォン６を適切に充電可能位置に保持することができる。
【００５２】
本実施例では、バッテリ収容部４０に収容した予備バッテリ１００を電力供給源として充電対象の端末への充電を行うことができる。そのため、利用者は、ＡＣ電源が無い環境でも、ＢＨＴ２に使用可能な充電済みの予備バッテリ１００を準備することができれば、ＢＨＴ２及びスマートフォン６の充電を行うことができる。
【００５３】
また、本実施例では、充電制御部５０は、電源コード１２０がＡＣ電源に接続されている場合には、バッテリ収容部４０に予備バッテリ１００が収容されているか否かに関わらず、ＡＣ電源から優先的に充電用の電力を供給することができる（上記のケースＢ、Ｄ参照）。一般的に、ＡＣ電源からの電力供給は、バッテリからの電力供給に比べ、電力供給量が安定する傾向がある。即ち、本実施例の充電台１０では、ＡＣ電力が利用可能な環境下では、安定した充電を行わせることができる。
【００５４】
また、本実施例では、充電台１０が「充電中」の状態の場合には、充電制御部５０は、状態表示部６０のＬＥＤ照明を点灯させ、充電台１０が「充電停止」の状態の場合には、充電制御部５０は、ＬＥＤ照明を消灯させる。そのため、利用者は、状態表示部６０を見ることで、充電台１０の現在の充電動作の状態を確認することができる。
【００５５】
また、本実施例では、上記の「充電中」の場合において、電力供給源の予備バッテリ１００の電力残量が多い場合には、充電制御部５０は、ＬＥＤ照明を緑色に発光させ、電力供給源の予備バッテリ１００の電力残量が少なくなった場合には、充電制御部５０は、ＬＥＤ照明を赤色に発光させる。利用者は、状態表示部６０を見ることで、予備バッテリ１００を電力供給源として充電を行う際の予備バッテリ１００の電力残量レベルを把握することができる。
【００５６】
本実施例と請求項の記載の対応関係を説明しておく。ＢＨＴ２が「第１種の端末装置」の一例であり、スマートフォン６が「第２種の端末装置」の一例である。表示部４が「第１種の表示部」の一例であり、タッチパネル８が「第２種の表示部」の一例である。予備バッテリ１００が「バッテリ」の一例である。保持アーム２８が「保持部」の一例である。電源コード１２０が「電力供給部」の一例である。上記のケースＡが「第１種の場合」の一例であり、上記のケースＣが「第２種の場合」の一例である。
【００５７】
（第２実施例）
第２実施例の充電台１０について、第１実施例と異なる点を中心に説明する。本実施例では、図１、図３のバッテリ収容部４０に代えて、一次電池１１０を収容可能な一次電池収容部７０が設けられている点が第１実施例と異なる。図１に示すように、一次電池収容部７０は、乾電池等の一次電池１１０を収容することができる収容部である。一次電池収容部７０は、基部１２の内部に収容されて設けられている。図３に示すように、一次電池収容部７０は、充電制御部５０と電気的に接続されている。本実施例では、一次電池収容部７０に、一次電池１１０を収容することにより、一次電池１１０を、ＢＨＴ２又はスマートフォン６の充電のための電力供給源として利用することができる。
【００５８】
また、本実施例では、充電制御部５０は、充電端子２２とコネクタ２４のどちらに充電対象の端末が接続されているのか、電源コード１２０がＡＣ電源に接続されているか否か、に加え、一次電池収容部７０に一次電池１１０が接続されているか否か、を検出することができる。そして、充電制御部５０は、充電端子２２とコネクタ２４のどちらに充電対象の端末が接続されているのか、電源コード１２０がＡＣ電源に接続されているか否か、一次電池収容部７０に一次電池１１０が接続されているか否か、に応じて、電力供給源から充電対象の端末への電力供給（即ち充電）の経路を第１実施例のケースＡ〜Ｄと同様に切り替えることができる。ただし、ケースＡ及びＣでは、予備バッテリ１００に変わり、一次電池収容部７０に収容された一次電池１１０が電力供給源として機能する。
【００５９】
また、本実施例でも、充電制御部５０は、充電台１０の状態に応じて、状態表示部６０に内蔵されたＬＥＤ照明の点灯消灯、及び、点灯時の発光色を制御する。ただし、本実施例では、「充電中」の場合において、電力供給源の一次電池１１０の電力残量が多い場合には、充電制御部５０は、ＬＥＤ照明を緑色に発光させ、電力供給源の一次電池１１０の電力残量が少なくなった場合には、充電制御部５０は、ＬＥＤ照明を赤色に発光させる。利用者は、状態表示部６０を見ることで、一次電池１１０を電力供給源として充電を行う際の一次電池１１０の電力残量レベルを把握することができる。
【００６０】
以上、本実施例の充電台１０の構成及び動作を説明した。本実施例の充電台１０も、基本的には、上記第１実施例の充電台１０と同様の作用効果を発揮することができる。ただし、本実施例では、一次電池収容部７０を備え、一次電池収容部７０に収容した一次電池１１０を充電の際の電力供給源として利用することができる。即ち、本実施例では、利用者は、ＡＣ電源が無い環境下でも、一次電池（例えば乾電池）１１０を準備することができれば、ＢＨＴ２及びスマートフォン６の充電を行うことができる。本実施例における一次電池収容部７０が「バッテリ収容部」の一例であり、一次電池１１０が「バッテリ」の一例である。
【００６１】
以上、本発明の具体例を詳細に説明したが、これらは例示に過ぎず、特許請求の範囲を限定するものではない。特許請求の範囲に記載の技術には以上に例示した具体例を様々に変形、変更したものが含まれる。例えば、以下の変形例を採用してもよい。
【００６２】
（変形例１）充電台１０は、第１実施例のバッテリ収容部４０と、第２実施例の一次電池収容部７０と、を両方備えていてもよい。
【００６３】
（変形例２）上記の各実施例では、状態表示部６０は、「充電中」の場合における予備バッテリ１００（又は一次電池１１０）の電力残量レベルを異なる発光色によって表すことができるが、状態表示部６０は、「充電中」の場合における予備バッテリ１００（又は一次電池１１０）の電力残量レベルを表示できなくてもよい。
【００６４】
（変形例３）また、充電台１０は、状態表示部６０を省略してもよい。
【００６５】
（変形例４）また、充電台１０は、電源コード１２０を有していなくてもよい。
【００６６】
（変形例５）第１実施例の充電台１０において、バッテリ収容部４０に収容される二次電池（バッテリ）は、ＢＨＴ２の予備バッテリ１００に限られず、他の二次電池であってもよい。
【００６７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００６８】
２：ＢＨＴ
３：端子接続部
４：表示部
５：操作部
６：スマートフォン
７：コネクタ接続部
８：タッチパネル
１０：充電台
１１：筐体
１２：基部
１３：立設部
１３ａ：壁部
１３ｂ：壁部
１３ｃ：底部
１４：開口部
１６：開口部
２０：端末収容部
２２：充電端子
２４：コネクタ
２６：ケーブル
２８：保持アーム
３０：ケーブル収容部
４０：バッテリ収容部
５０：充電制御部
６０：状態表示部
７０：一次電池収容部
１００：予備バッテリ
１１０：一次電池
１２０：電源コード
【図１】
2020156187.tif 000003
【図２】
2020156187.tif 000004
【図３】
2020156187.tif 000005